(57)【要約】【課題】画像データをＪＰＥＧ圧縮する際に、ブロック歪みを抑制して画質劣化を軽減する。【解決手段】携帯電話機１の高周波成分減衰手段１５は、撮像手段１０により被写体を撮像して得た画像データＳ０の高周波成分を減衰率αで減衰させ、減衰率αを減衰率記憶手段３０に記憶させる。圧縮手段２０は、高周波成分が減衰されて得た画像データＳ’０に対してＪＰＥＧ圧縮を施して圧縮画像データＤ０を得、画像データＤ０が画像記憶手段４０により記憶される。画像記憶手段４０により記憶された画像データＤ０を表示するとき、携帯電話機１の解凍手段５０は、画像記憶手段４０に記憶された画像データＤ０に対して伸長処理を行って伸長画像データＤ１を得、高周波成分増幅手段５５は、減衰率記憶手段３０から減衰率αを読み出し、減衰率αで伸長画像データＤ１の高周波成分を増幅させてから表示手段６０に表示させる。【選択図】　　　　　図１
2004032246.tif 000002
【特許請求の範囲】
【請求項１】
画像データに対してＪＰＥＧ圧縮を施して圧縮画像データを得る画像圧縮装置であって、
前記画像データの高周波成分を所定の減衰率で減衰させる高周波成分減衰手段と、
前記高周波成分減衰手段により前記高周波成分が減衰された前記画像データに対してＪＰＥＧ圧縮を施す圧縮手段とを備えたことを特徴とする画像圧縮装置。
【請求項２】
前記所定の減衰率が５％以上２５％以下であることを特徴とする請求項１記載の画像圧縮装置。
【請求項３】
前記減衰率を付加情報として前記圧縮画像データに付随させる付加情報添付手段を備えたことを特徴とする請求項１または２記載の画像処理装置。
【請求項４】
前記画像データが、携帯端末付属のデジタルカメラにより撮像して得たものであることを特徴とする請求項１から３のいずれか１項記載の画像処理装置。
【請求項５】
高周波成分が所定の減衰率で減衰されてからＪＰＥＧ圧縮を施された圧縮画像データを復元する画像復元装置であって、
前記圧縮画像データを伸長して伸長画像データを得る伸長手段と、
前記減衰率を取得する減衰率取得手段と、
前記伸長画像データの高周波成分を前記減衰率に応じて増幅させる増幅手段とを備えたことを特徴とする画像復元装置。
【発明の詳細な説明】
【０００１】
【発明の属する技術分野】
本発明は、画像データを圧縮する画像圧縮装置および圧縮された画像データを復元する画像復元装置に関するものである。
【０００２】
【従来の技術】
近年、デジタル画像データ（以下略して画像データという）に対してサービスを提供する様々なシステムが出現している。例えば、ネガフィルムをスキャナでスキャンして得たもの、デジタルカメラにより撮影して得たものなどの画像データの保存、管理を行うシステムや、画像データに対して、望ましい画質になるように画質補正処理を行ってプリントするプリントサービスシステムなどがある。
【０００３】
一方、コンピュータなどの端末装置の低価格化およびネットワーク技術の進歩に伴って、インターネットが急激に普及する背景において、上述した様々なシステムの殆どはネットワークを介してサービスを提供している。
【０００４】
例えば、上述したプリントサービスシステムとしては、ユーザが端末装置を用いてサーバ装置にアップロードした画像データに対して画質補正処理を行ってからネットワークにより接続されたミニラボなどのプリンタに出力してプリントアウトさせる構成や、画質補正処理を施した画像データをサーバ装置において保持して、保持場所を示すＵＲＬなどのアドレスだけをミニラボなどに送信し、ミニラボからアクセスされた時に、プリント対象となる画像データをダウンロードさせる構成などはあるが、サーバ装置と端末装置との間、サーバ装置とプリントアウトを行うプリンタとの間の画像データの受渡しは、ネットワークを介して行われている。
【０００５】
また、移動通信の分野において、携帯電話などの携帯端末の普及および携帯端末の機能の充実に伴って、携帯端末を対象とする画像サービスも盛んに行われている。例えば、携帯端末同士間の電子メールを中継する際に、送信側の携帯端末から送信された電子メールに添付された画像データに対して、階調補正や、ホワイトバランス補正、濃度補正、シャープネス処理などの画質補正処理を行ってから受信側の携帯端末に送信したり、受信側の携帯端末が添付ファイルを受信できない場合、画質補正処理を施した画像データを保持して、該画像データの保持場所を示すＵＲＬなどのアドレスだけを受信側の携帯端末に送信して、後に受信側の携帯端末からのアクセスを受け付けたときダウンロードさせたりするなど、画質補正機能を有する通信中継サーバ装置がある。これらのサーバ装置も、ネットワークを介して携帯端末と画像データの受渡しを行うものである。
【０００６】
一方、ネットワークを介して画像データを受渡しする際に、通信時間の短縮など、端末装置およびネットワークの負担を軽減するように、これらの画像データを圧縮することが行われている。特に携帯電話機などの携帯端末の場合、撮影して得た画像データの殆どは他の携帯端末装置またはコンピュータなどに送信されるため、容量制限が厳しく、高圧縮されてから携帯電話機の記憶部に保存されるようになっている。
【０００７】
上述した背景および画像データを記憶する記録媒体の容量制限などの理由から、デジタルカメラによって被写体を撮像することによって得られた画像データや、フィルムをスキャナなどによって読み取ることにより得られた画像データは、通常、圧縮されて記録媒体に記録されている。
【０００８】
画像データを圧縮する形式としては、ＪＰＥＧ、ＧＩＦ、ＴＩＦＦ等種々の形式が存在するが、近年、ＪＰＥＧ（ＪＰＥＧをベースとした、動画像の圧縮方式であるＭＰＥＧを含む。以下同じ）が、世界レベルでの標準方式として広く普及し、特にコンピュータやテレビジョンあるいはデジタルカメラなど画像を扱うあらゆるメディアで共通の方式として認められつつある。ＪＰＥＧ圧縮は、画像データのブロック毎の離散コサイン変換、量子化、符号化などの処理から構成される圧縮方式であり、画像データの周波数特性に基づいて、低周波成分に対しては細かくサンプリングする一方、人間に知覚されにくい高周波成分に対しては比較的荒くサンプリングすることによって画像データを圧縮するようにしたものである。
【０００９】
一方、ＪＰＥＧ圧縮を含む上述の画像圧縮処理は、程度の差はあるものの、圧縮率が高ければ高いほど画質を劣化させる傾向にあるものであり、圧縮された画像データを復元して得た復元画像データにおいて画質劣化が生じるのは、画像データのファイルサイズを小さくするために避けられない代償と考えられている。しかし、上述したようにネットワークを介して画像データの転送を行う場合や、携帯端末の記録媒体に画像データを保存する場合などにおいては、ネットワークの負担の軽減および記録媒体の容量制限などの理由から、画像データを高圧縮率で圧縮せざるを得ないため、復元画像データに激しい画質劣化が生じ、ＪＰＥＧ圧縮の場合、ブロック歪みが目立つことが多く、望ましい画質を有する復元画像を得ることができないという問題がある。したがって、いかに高圧縮率で圧縮を行い、画像データのファイルサイズを小さくしながら、復元画像データの画質劣化を軽減するかということが大きな課題となり、様々な試みが行われている。
【００１０】
例えば、特開２０００−３５００７６号には、画像の所定の領域を指定し、指定された領域とこの領域以外の領域に対して異なる圧縮率で圧縮する方法が提案されている。この方法によれば、例えば、画像における重要な部分に対して低い圧縮率で圧縮を施し、そのほかの重要ではない部分に対して高い圧縮率で圧縮を施すことができ、重要な部分の画質を保ちながら、画像データのファイルサイズを小さくすることができる。
【００１１】
【発明が解決しようとする課題】
しかし、特開２０００−３５００７６号に記載される方法では、圧縮して得た画像を復元して再生する際に、１つの画像の異なる部位が異なる圧縮率で圧縮されているので、専用のアプリケーションを必要とし、不便である。また、画像データの重要な部分とそれほど重要ではない部分との区別は操作者の主観意識によって変わるので、領域の指定が異なっていれば復元した画像データの画質を確実に保つことができないという問題がある。
【００１２】
本発明は上記事情に鑑みなされたものであり、高圧縮率で圧縮すると共に、確実に画質劣化を軽減し、かつ簡単に復元処理が可能な画像圧縮装置および画像復元装置を提供することを目的とするものである。
【００１３】
【課題を解決するための手段】
本発明の画像圧縮装置は、画像データに対してＪＰＥＧ圧縮を施して圧縮画像データを得る画像圧縮装置であって、前記画像データの高周波成分を所定の減衰率で減衰させる高周波成分減衰手段と、前記高周波成分減衰手段により前記高周波成分が減衰された前記画像データに対してＪＰＥＧ圧縮を施す圧縮手段とを備えたことを特徴とするものである。
【００１４】
ここで、「所定の減衰率」とは、画像データの高周波成分を減衰しても画質にそれほど影響を与えない程度の減衰率を意味し、５％以上２５％以下であることが望ましい。
【００１５】
すなわち、本発明の画像圧縮装置は、ブロック歪みが高周波成分に現れやすいことと、人間の知覚が高周波成分に対してそれほど敏感ではないことに着目し、画像データに対してＪＰＥＧ圧縮を施す際に、予め高周波成分を所定の減衰率で減衰させてからＪＰＥＧ圧縮を施すようにすることを特徴とするものである。
【００１６】
また、本明細書で用いる「ＪＰＥＧ圧縮」とは、静止画に対して行われるＪＰＥＧ圧縮は勿論、ＪＰＥＧをベースとした他の方式の圧縮、例えば動画像の圧縮方式であるＭＰＥＧなども含むものとする。
【００１７】
本発明の画像圧縮装置は、前記減衰率を付加情報として前記圧縮画像データに付随させる付加情報添付手段を備えたものであることが好ましい。
【００１８】
また、本発明の画像圧縮装置は、携帯端末付属のデジタルカメラにより撮像して得た画像データの圧縮に適用することができる。
【００１９】
本発明の画像復元装置は、高周波成分が所定の減衰率で減衰されてからＪＰＥＧ圧縮を施された圧縮画像データを復元する画像復元装置であって、
前記圧縮画像データを伸長して伸長画像データを得る伸長手段と、
前記減衰率を取得する減衰率取得手段と、
前記伸長画像データの高周波成分を前記減衰率に応じて増幅させる増幅手段とを備えたことを特徴とするものである。
【００２０】
画像データの高周波成分には、どこまでが人間が知覚できるものか、どこからは人間が知覚しないものかを把握することが難しいので、本発明の画像復元装置は、高周波成分が所定の減衰率で減衰されてからＪＰＥＧ圧縮を施された圧縮画像データを復元する際に、その減衰率に応じて高周波成分を増幅させることによって、減衰された、人間が知覚できる範囲の高周波成分を補充するようにしたものである。
【００２１】
【発明の効果】
本発明の画像圧縮装置によれば、画像データに対してＪＰＥＧ圧縮を行う際に、ブロック歪みが現れやすい高周波成分を減衰してからＪＰＥＧ圧縮を施すようにしているので、圧縮された画像データを復元して得た復元画像データにおけるブロック歪みの軽減を図ることができ、高圧縮率でＪＰＥＧ圧縮を行っても、画質劣化を抑制することができる。
【００２２】
携帯端末付属のデジタルカメラにより取得した画像データは、高圧縮率で圧縮される場合が多いので、本発明の画像圧縮装置を携帯端末付属のデジタルカメラにより撮像して得た画像データの圧縮に適用すれば、画像データのファイルサイズの縮小および画質劣化の防止に大きな効力を発揮することができる。
【００２３】
本発明の画像復元装置は、高周波成分が所定の減衰率で減衰されてからＪＰＥＧ圧縮を施された圧縮画像データを復元する際に、その減衰率に応じて高周波成分を増幅させるようにしているので、人間が知覚できる範囲の高周波成分を戻すことができ、本発明の画像圧縮装置と併用することによって、より高画質の復元画像データを得ることができる。
【００２４】
本発明の画像圧縮装置は、高周波成分を減衰させる減衰率を付加情報として圧縮画像データに付随させる付加情報添付手段を備えることによって、画像復元装置において、この付加情報を読み取ることによって高周波成分の減衰率を取得することができるので、便利である。
【００２５】
【発明の実施の形態】
以下、図面を参照して、本発明の実施形態について説明する。
【００２６】
図１は、本発明の画像圧縮装置と画像復元装置を適用した携帯電話機１の構成を示すものである。なお、本発明の主旨をわかりやすくするために、以下、携帯電話機１の通信部分などを省略し、撮像して得た画像データを圧縮する部分と圧縮された画像データを再生する部分に重点をおいて説明を行う。
【００２７】
図１に示すように、本実施形態の携帯電話機１は、被写体を撮像して画像データＳ０を得る撮像手段１０と、画像データＳ０の高周波成分を減衰率α（ここでは、例として１０％）で減衰させて画像データＳ０’を得る高周波成分減衰手段１５と、高周波成分が減衰されて得た画像データＳ０’に対してＪＰＥＧ圧縮を施して圧縮画像データＤ０を得る圧縮手段２０と、圧縮画像データＤ０にファイル名を付けて記憶する画像記憶手段４０と、圧縮画像データＤ０が圧縮される前に高周波成分減衰手段１５において高周波成分が減衰された減衰率αを画像データＤ０のファイル名に対応付けて記憶する減衰率記憶手段３０と、画像記憶手段４０に記憶された圧縮画像データＤ０を再生するために伸長処理を行う解凍手段５０と、減衰率記憶手段３０から圧縮画像データＤ０に対応付けて記憶された減衰率αを読み出すと共に、解凍手段５０により得られた伸長画像データＤ１の高周波成分を増幅率αで増幅して画像データＤ２を得る高周波成分増幅手段５５と、画像データＤ２を表示する液晶画面である表示手段６０とを備えたものである。
【００２８】
高周波成分減衰手段１５は、まず、撮像手段１０により取得した画像データＳ０のＲ、Ｇ、Ｂ値（Ｒ０、Ｇ０、Ｂ０）に対して夫々下記の式（１）に示すフィルタＡを適用して画像データＳ０のボケ画像データのＲＧＢ値Ｒｕｓ、Ｇｕｓ、Ｂｕｓを得た後、式（２）に従って、画像データＳ０の高周波成分を減衰率αで減衰させて画像データＳ’０（Ｒ’０、Ｇ’０、Ｇ’０）を得る。
【００２９】
【数１】
2004032246.tif 000003
【数２】
2004032246.tif 000004
圧縮手段２０は、高周波成分減衰手段１５により高周波成分を減衰させて得た画像データＳ’０に対してＪＰＥＧ圧縮を行って圧縮画像データＤ０を得、この圧縮画像データＤ０が、画像記憶手段４０によりファイル名を付けられて記憶される。
【００３０】
画像記憶手段４０に記憶された圧縮画像データＤ０を表示手段６０に表示させるために、まず解凍手段５０は圧縮画像データＤ０に対して伸長処理を行ってＲＧＢ画像データとなる伸長画像データＤ１を得る。この伸長画像データＤ１（Ｒ１，Ｇ１，Ｂ１）に対して高周波成分増幅手段５５は、まず、式（１）に示すフィルタＡを適用して画像データＤ１のボケ画像データのＲＧＢ値Ｒ’ｕｓ、Ｇ’ｕｓ、Ｂ’ｕｓを得た後、下記の式（３）に従って、伸長画像データＤ１の高周波成分を増幅させて画像データＤ２（Ｒ２，Ｇ２，Ｂ２）を得る。
【００３１】
【数３】
2004032246.tif 000005
図２は、図１に示す実施形態の携帯電話機１の動作を示すフローチャートである。図示のように、本実施形態の携帯電話機１は、撮像手段１０により被写体を撮像して画像データＳ０を得（Ｓ１０）、この画像データＳ０を画像記憶手段４０に記憶保存させるために、まず、高周波成分減衰手段１５により高周波成分を減衰率α（ここでは１０％）で減衰させて画像データＳ’０を得て圧縮手段２０に供すると共に、画像データＳ０に対する高周波成分の減衰率αを減衰率記憶手段３０に記憶させる（Ｓ１２）。圧縮手段２０は、高周波成分が減衰されて得た画像データＳ’０に対してＪＰＥＧ圧縮を施して圧縮画像データＤ０を得（Ｓ１４）、この圧縮画像データＤ０が、画像記憶手段４０によりファイル名を付けられて記憶される（Ｓ１６）。なお、減衰率記憶手段３０により記憶された減衰率αも、圧縮画像データＤ０のファイル名と関連付けられる。
【００３２】
図２のフローチャートのステップＳ１０〜ステップＳ１６までは、携帯電話機１が被写体を撮像して画像データを得るときから、撮像して得た画像データを記憶保存するときまでの動作を示しているが、ステップＳ２０からは、携帯電話機１の画像記憶手段４０に記憶された画像データ（圧縮画像データ）を液晶表示画面となる表示手段６０に表示させる動作を示している。図示のように、携帯電話機１は、記憶手段４０に記憶された圧縮画像データＤ０を表示手段６０に表示させるために、まず、解凍手段５０により、画像記憶手段４０から該当する圧縮画像データＤ０を読み出して、伸長処理を行ってＲＧＢ画像データとなる伸長画像データＤ１を得る（Ｓ２０）。高周波成分増幅手段５５は、画像データＤ０に関連付けられて減衰率記憶手段３０に記憶された高周波成分の減衰率α（画像データＤ０の場合、１０％）を読み出して（Ｓ２２）、この減衰率を高周波成分の増幅率として用い、伸長画像データＤ１の高周波成分を増幅させて画像データＤ２を得る（Ｓ２４）。表示手段６０によりＲＧＢ画像データである画像データＤ２を表示する（Ｓ２６）ことをもって、携帯電話機１による表示処理が終了する。
【００３３】
このように、本実施形態の携帯電話機１によれば、被写体を撮像して得た画像データを記憶保存するためのデータ量削減処理を行う際に、画像データにおける人間が知覚しにくい高周波成分を減衰させてからＪＰＥＧ圧縮を施すようにしているので、圧縮された画像データを復元して得た復元画像データにおいて、高周波成分に現れやすいブロック歪みを軽減することができ、高圧縮率でＪＰＥＧ圧縮を行っても、画質劣化を抑制することができる。
【００３４】
また、本実施形態の携帯電話機１によれば、圧縮画像データを伸長して再生する際に、その圧縮画像データが圧縮される前の画像データに対して高周波成分を減衰させた減衰率に応じた増幅率（携帯電話機１においては例として減衰率と同様な値の増幅率）で伸長画像データの高周波成分を増幅させ、高周波成分を戻すことによって、圧縮を施す際に人間が知覚できる高周波成分まで減衰された場合においても、画質を保つことができる。
【００３５】
また、高周波成分を減衰する処理は、前述した特開２０００−３５００７６号に記載された方法のように、領域の指定などの操作などを必要とせず、いわば操作者の主観意識に頼らないので、確実である。
【００３６】
図１に示す携帯電話機１は、本発明の画像圧縮装置および画像復元装置の実施形態の１例として、画像データを圧縮し、圧縮した画像データを内部の画像記憶手段４０に記憶させ、表示する際には備付けの表示手段６０に表示させる態様となっているが、本発明の画像圧縮装置および画像復元装置は、ネットワークを介して画像データの送受信を行うシステムに適用することもできる。
【００３７】
図３は、本発明の画像圧縮装置および画像復元装置を適用したプリントサービスシステムの構成を示すブロック図である。なお、本実施形態のプリントサービスシステムは、例として携帯電話機を対象とするものである。
【００３８】
図３に示すように、本実施形態のプリントサービスシステムは、図示しないデジタルカメラを備え、端末装置となる携帯電話機７０と、携帯電話機７０からアップロードされた画像データを蓄積し、これらの画像データに対するプリントサービスを提供するプリントサーバ１００と、プリントサーバ１００と接続され、実際にプリントアウトするプリント装置９０とからなる。携帯電話機７０と、プリントサーバ１００とは、インターネット８０を介して接続される。
【００３９】
図４は、図３に示す実施形態のプリントサービスシステムにおける携帯電話機７０の構成を示すブロック図である。図示のように、携帯電話機７０は、被写体を撮像して画像データＳ０を取得する撮像手段７１と、撮像手段７１により取得した画像データＳ０の高周波成分を減衰率α（ここでは１０％とする）で減衰させて画像データＳ’０を得る高周波成分減衰手段７２と、減衰率αを付加情報として作成する付加情報作成手段７３と、高周波成分減衰手段７２により取得された画像データＳ’０に対してＪＰＥＧ圧縮処理を施して圧縮画像データＤ０を得る圧縮手段７４と、圧縮手段７４により取得された圧縮画像データＤ０に付加情報作成手段７３により作成され、減衰率αを示す付加情報を圧縮画像データＤ０に付随させて記憶する画像記憶手段７５と、インターネットを介してほかの通信装置と通信、例えばプリントサーバ１００に画像データのアップロードや、プリント注文指示などを行うための通信手段７６とを備えたものである。なお、説明上の便宜のため、例えば通信を行うための操作ボタンや、インターネット上のサーバ装置にアクセスするための入力キーなどからなる操作手段についてはここで説明を省略する。
【００４０】
携帯電話機１０の高周波成分減衰手段７２、圧縮手段７４は、図１に示す携帯電話機１の高周波成分減衰手段１５、圧縮手段２０と同様な動作をするので、ここで詳細な説明を省略する。付加情報作成手段７３は、高周波成分減衰手段１５において画像データＳ０の高周波成分を減衰させる際に用いた減衰率αを付加情報の１つとして作成し、画像記憶手段７５は、この減衰率αを例えば該当する圧縮画像データＤ０のタグ情報に含ませて記憶する。
【００４１】
図５は、図３に示すプリントサービスシステムにおけるプリントサーバ１００の構成を示すブロック図である。図示のように、プリントサーバ１００は、インターネット８０を介して携帯電話機７０と通信を行うための通信部１０５と、通信部１０５を介してアクセスしてきた携帯電話機７０によりアップロードされてきた画像データ（圧縮画像データＤ０とする）を記憶する記憶部１１０と、ユーザが携帯電話機７０を介して記憶部１１０に記憶された圧縮画像データＤ０に対するプリント注文要求（プリントする画像データの指定や、プリント条件、すなわちプリントサイズ、枚数などの指定）を受け付ける受注部１２０と、受注部１２０により受け付けたプリント注文要求に従って指定された画像データ（圧縮画像データＤ０）を記憶部１１０から読み出して復元処理を行う復元部１３０と、復元部１３０により得られた復元画像データを、該画像データに対して指定されたプリントサイズ、枚数などのプリント条件と共にプリント装置９０に出力してプリントアウトさせるプリント実行部１４０とからなるものである。
【００４２】
図６は、プリントサーバ１００における復元部１３０の詳細構成を示すものである。図示のように、復元部１３０は、指定された画像データを記憶部１１０から読み出す読出部１３２と、読出部１３２により読み出された圧縮画像データＤ０に対して伸長処理を行って伸長画像データＤ１を得ると共に、圧縮画像データＤ０のタグ情報を解析して、圧縮画像データＤ０の高周波成分減衰率αを取得する解凍部１３４と、解凍部１３４により取得された減衰率αで伸長画像データＤ１の高周波成分を増幅させて画像データＤ２を得てプリント実行部１４０に供する高周波成分増幅部１３６とからなるものである。なお、高周波成分増幅部１３６により増幅処理は、図１に示す携帯電話機１の高周波成分増幅手段５５による増幅処理と同様であるので、ここでその詳細な説明を省略する。
【００４３】
図７は、図３に示すプリントサービスシステムの動作を示すフローチャートである。なお、ステップＳ５０からステップＳ５６までは端末装置となる携帯電話機７０の内部における動作であり、ステップＳ６０からはプリントサーバ１００が携帯電話機７０からアクセスされたときからの動作を示している。
【００４４】
図７に示すように、携帯電話機７０の撮像手段７１は被写体を撮像して画像データＳ０を得（Ｓ５０）、この画像データＳ０に対して高周波成分減衰手段７２はその高周波成分を減衰率αで減衰させて画像データＳ’０を得ると共に、付加情報作成手段７３は、減衰率αを付加情報として作成する（Ｓ５２）。圧縮手段７４は、高周波成分減衰手段７２により取得された画像データＳ’０に対してＪＰＥＧ圧縮処理を施して圧縮画像データＤ’０を得（Ｓ５４）、画像記憶手段７５は、付加情報作成情報７３により作成した減衰率αを示す付加情報を圧縮画像データＤ’０のタグ情報にを含ませて圧縮画像データＤ０として記憶する（Ｓ５６）。
【００４５】
携帯電話機７０は、画像記憶手段７５に記憶された画像データ（圧縮画像データ）を備え付けての表示画面に表示したり、他の通信装置に送信することができ、図７のフローチャートのステップＳ６０からは、ユーザが携帯電話機７０の通信手段７６を介して圧縮画像データＤ０をプリントサーバ１００にアップロードしたり、プリント注文したりする際にプリントサーバ１００側の動作を示している。例として、本実施形態のプリントサービスシステムは、画像データのアップロードおよびプリントサービスだけを提供するものとする。
【００４６】
図７に示すように、プリントサーバ１００の通信部１０５は、携帯電話機７０からのアクセスを受信すると（Ｓ６０）、まず、このアクセスが画像データのアップロード要求かプリント注文要求かを確認する（Ｓ６２）。画像データのアップロード要求であれば（Ｓ６２：Ｙｅｓ）、プリントサーバ１００の記憶部１１０は、通信部１０５を介して受信した、携帯電話機７０から送信されてきた画像データ（本実施形態のプリントサービスシステムにおいて圧縮画像データＤ０となる）を記憶保存する（Ｓ６４）。他に処理があれば（Ｓ６６：Ｙｅｓ）、ステップＳ６２に戻るが、他の処理がなければ（Ｓ６６：ＮＯ）、プリントサーバ１００の処理が終了する。
【００４７】
一方、ステップＳ６２において、携帯電話機７０からのアクセスがアップロード要求ではなく、プリント注文要求であれば（Ｓ６２：ＮＯ）、プリントサーバ１００の受注部１２０は、ユーザが携帯電話機７０の通信手段７６を介して入力したプリント注文要求を受け付ける（Ｓ７０）。復元部１３０の読出部１３２は、ユーザが入力したプリント注文要求により指定された画像データを記憶部１１０から読み出し（Ｓ７２）、解凍部１３４は、この画像データ（圧縮画像データＤ０）に対して伸長処理を行って伸長画像データＤ１を得ると共に、圧縮画像データＤ０のタグ情報を解析して、圧縮画像データＤ０の高周波成分減衰率αを取得する（Ｓ７４）。高周波成分増幅部１３６は、解凍部１３４により取得された減衰率αで伸長画像データＤ１の高周波成分を増幅させて画像データＤ２を得てプリント実行部１４０に供し（Ｓ７８）、プリント実行部１４０は、画像データＤ２とステップＳ７０において受け付けたプリント枚数、プリントサイズなどのプリント条件とをプリントサーバ１００に接続されたプリント装置９０に出力する（Ｓ８０）。プリント装置９０は、送信されてプリント条件に従って、画像データＤ２をプリントアウトする（Ｓ８２）。
【００４８】
このように、本実施形態のプリントサービスシステムによれば、端末装置となる携帯電話機７０において、プリントサーバ１００に送信する画像データを圧縮する際に、高周波成分を減衰させてからＪＰＥＧ圧縮を行って圧縮画像データを得るようにしているので、高圧縮率で圧縮を行っても、この圧縮画像データを復元する際に高周波成分に現れやすいブロック歪みなどを抑制することができるので、画質劣化を防ぐことができる。
【００４９】
また、携帯電話機７０において、高周波成分の減衰率を圧縮画像データの付加情報として作成して付随させるようにすることによって、プリントサーバ１００の復元部１３０において圧縮画像データを復元する際に、この付加情報を解読することによって、簡単に圧縮画像データが圧縮される前に施された高周波成分減衰処理に用いられた減衰率を取得することができる。プリントサーバ１００の復元部１３０は、取得した減衰率で伸長画像データＤ１の高周波成分を増幅させることによって、高周波成分減衰処理で人間が知覚できる成分まで減衰された場合においても、この部分の成分を補充することができ、より良い画質を保つことができる。
【００５０】
以上、本発明の画像圧縮装置および画像復元装置の望ましい実施形態について説明したが、本発明の画像圧縮装置は、上述した実施形態に限られるものではなく、本発明の主旨を変えない限り、様々な変更、増減を加えることができる。
【００５１】
例えば、上述した実施形態においては、画像データに対して圧縮を行う方式としてＪＰＥＧ方式を用いたが、本発明の画像圧縮装置に用いられる圧縮方式は、ＪＰＥＧに限らず、ＪＰＥＧをベースとした圧縮方式、例えば動画を圧縮するＭＰＥＧも含むものであるので、本発明の画像圧縮装置をＭＰＥＧ方式で圧縮を行う装置にも適用することができる。
【００５２】
また、上述した実施形態において、圧縮画像データを復元する際に、圧縮画像データが圧縮される前に施された高周波成分減衰処理の減衰率を増幅率として用いて伸長画像データの高周波成分を増幅させ、完全に高周波成分を戻すようにしているが、減衰率に応じた、望ましくは減衰率以下の増幅率で伸長画像データの高周波成分を増幅させるようにしてもよい。
【００５３】
また、上述した実施形態の画像圧縮装置として携帯電話機を例にしたが、本発明の画像圧縮装置は、画像データを圧縮するいかなる装置、例えばコンピュータなどにも適用することができる。
【００５４】
勿論、本発明の画像復元装置も上述した実施形態に限られることがなく、受信した圧縮画像データに対して画質補正処理を行ってから転送する電子メール中継装置など、ネットワークを介して圧縮画像データを受信し、この圧縮画像データに対して復元処理を行う必要のあるいかなるシステムにも適用することができる。
【図面の簡単な説明】
【図１】本発明の画像圧縮装置および画像復元装置の実施形態となる携帯電話機１の構成を示すブロック図
【図２】図１に示す携帯電話機１の動作を示すフローチャート
【図３】本発明の画像圧縮装置および画像復元装置の実施形態となるプリントサービスシステムの構成を示すブロック図
【図４】図３に示すプリントサービスシステムにおける端末装置の携帯電話機７０の構成を示すブロック図
【図５】図３に示すプリントサービスシステムにおけるプリントサーバ１００の構成を示すブロック図
【図６】図５に示すプリントサーバ１００における復元部１３０の構成を示すブロック図
【図７】図３に示すプリントサービスシステムの動作を示すフローチャート
【符号の説明】
１　　携帯電話機
１０　　撮像手段
１５　　高周波成分減衰手段
２０　　圧縮手段
３０　　減衰率記憶手段
４０　　画像記憶手段
５０　　解凍手段
５５　　高周波成分増幅手段
６０　　表示手段
７０　　携帯電話機
７１　　撮像手段
７２　　高周波成分減衰手段
７３　　付加情報作成手段
７４　　圧縮手段
７５　　画像記憶手段
７６　　通信手段
８０　　インターネット
９０　　プリント装置
１００　　プリントサーバ
１０５　　通信部
１１０　　記憶部
１２０　　受注部
１３０　　復元部
１３２　　読出部
１３４　　解凍部
１３６　　高周波成分増幅部
１４０　　プリント実行部
α　　減衰率
【図１】
2004032246.tif 000006
【図２】
2004032246.tif 000007
【図３】
2004032246.tif 000008
【図４】
2004032246.tif 000009
【図５】
2004032246.tif 000010
【図６】
2004032246.tif 000011
【図７】
2004032246.tif 000012